(57)【要約】【課題】手や足を汚すことなく、ゴミ箱本体の内部に収容しているゴミ類を容易且つ効率的に圧縮することができ、これによってゴミ箱本体内のゴミ類の収容空間を無駄なく利用できるゴミ箱を提供する。【解決手段】本発明に係るゴミ箱は、ゴミ箱本体１の上方開口部に、収容しているゴミ類Ｑを圧縮する圧縮機構部Ｐを設けている。この圧縮機構部Ｐは、足等の踏み付け力を利用したものである。また、圧縮機構部Ｐは、中央に開口部５を有し、ゴミ箱本体１の上方開口部に着脱可能に配置された保持枠部２と、保持枠部２の開口部５を下方側から塞ぐよう、保持枠部２の開口部５の内径よりも若干大きく且つゴミ箱本体１の内径よりも若干小さな外径を有する平蓋状の圧縮部材３を備えている。【選択図】図１
2006264892.tif 000002
【特許請求の範囲】
【請求項１】
ゴミ箱本体の上方開口部に、収容しているゴミ類を圧縮する圧縮機構部を設けたことを特徴とするゴミ箱。
【請求項２】
圧縮機構部は、足等の踏み付け力を利用したものである請求項１に記載のゴミ箱。
【請求項３】
圧縮機構部は、中央に開口部を有し、ゴミ箱本体の上方開口部に着脱可能に配置された保持枠部と、保持枠部の開口部を下方側から塞ぐよう、保持枠部の開口部の内径よりも若干大きく且つゴミ箱本体の内径よりも若干小さな外径を有する平蓋状の圧縮部材を備えている請求項１または２に記載のゴミ箱。
【請求項４】
圧縮機構部は、ゴミ箱本体内において、圧縮部材が下方・上方に移動可能である請求項１乃至３のいずれかに記載のゴミ箱。
【請求項５】
圧縮機構部は、保持枠部の周縁に複数のガイド筒部を付設し、この複数のガイド筒部にそれぞれ紐材を挿通した状態において、紐材の一端を圧縮部材に固定し、紐材の他端に錘体を取り付けた請求項１乃至４のいずれかに記載のゴミ箱。
【請求項６】
ゴミ箱本体の上方開口部よりの周面に、掛止突起を設けた請求項１乃至５のいずれかに記載のゴミ箱。
【請求項７】
ゴミ箱本体、圧縮機構部のそれぞれは、足裏の形状に対応した略楕円状に形成されている請求項１乃至６のいずれかに記載のゴミ箱。
【発明の詳細な説明】
【技術分野】
【０００１】
本発明は、一般廃棄物の指定収集袋を使用する、例えば、家庭用または業務用等のゴミ箱に関するものである。
【背景技術】
【０００２】
従来において、例えば、合成樹脂製材等を用いて形成されたゴミ箱内には、一般廃棄物の指定収集袋が底部を下にして挿入され、当該一般廃棄物の指定収集袋の上方開口縁部を開放し、縁部を下方へ折り返すようにしてゴミ箱の上方開口縁部に指定収集袋の縁部を掛架させておき、この指定収集袋の中に、例えば、可燃ゴミ、不燃ゴミ、生ゴミ、資源廃棄物、リサイクルゴミ等の各種のゴミ類を区分して収容した後、必要に応じてゴミ箱の上方開口部を蓋部により閉塞するものであった。
【特許文献１】特になし
【発明の開示】
【発明が解決しようとする課題】
【０００３】
しかしながら、従来のゴミ箱においては、ゴミ類によりゴミ箱内が満杯になっていても、ゴミとゴミとの間に多くの隙間が残るため、ゴミ箱におけるゴミ類の収容空間が無駄になってしまう事態が生じていた。
【０００４】
この場合には、手や足を使ってゴミ箱の上方開口部側からゴミ類を強制的に押し込むことにより、ゴミ箱内のゴミを圧縮するものであるが、手や足がゴミ類に直接接触するため、手や足が汚れ易かった。
【０００５】
また、ゴミ箱の上方開口部を蓋部で閉塞するに際し、ゴミ箱内から山盛り状に溢れ出ているゴミ類を、当該蓋部を使って強制的に押し込むこともあるが、この場合には、硬質のゴミ類に対する強制的な押圧力によって、蓋部自体が破損してしまう虞れがあった。
【０００６】
そこで、本発明は如上のような従来存した諸事情に鑑み創出されたもので、手や足を汚すことなく、ゴミ箱本体の内部に収容しているゴミ類を容易且つ効率的に圧縮することができ、これによってゴミ箱本体内のゴミ類の収容空間を無駄なく利用できるゴミ箱を提供することを目的とする。
【課題を解決するための手段】
【０００７】
本発明に係るゴミ箱は、ゴミ箱本体の上方開口部に、収容しているゴミ類を圧縮する圧縮機構部を設けたことで、上述した課題を解決した。
【０００８】
また、圧縮機構部は、足等の踏み付け力を利用したことで、同じく上述した課題を解決した。
【０００９】
さらに、圧縮機構部は、中央に開口部を有し、ゴミ箱本体の上方開口部に着脱可能に配置された保持枠部と、保持枠部の開口部を下方側から塞ぐよう、保持枠部の開口部の内径よりも若干大きく且つゴミ箱本体の内径よりも若干小さな外径を有する平蓋状の圧縮部材を備えていることで、同じく上述した課題を解決した。
【００１０】
また、圧縮機構部は、ゴミ箱本体内において、圧縮部材が下方・上方に移動可能であることで、同じく上述した課題を解決した。
【００１１】
加えて、圧縮機構部は、保持枠部の周縁に複数のガイド筒部を付設し、この複数のガイド筒部にそれぞれ紐材を挿通した状態において、紐材の一端を圧縮部材に固定し、紐材の他端に錘体を取り付けたことで、同じく上述した課題を解決した。
【００１２】
また、ゴミ箱本体の上方開口部よりの周面に、掛止突起を設けたことで、同じく上述した課題を解決した。
【００１３】
この他、ゴミ箱本体、圧縮機構部のそれぞれは、足裏の形状に対応した略楕円状に形成されていることで、同じく上述した課題を解決した。
【００１４】
以上のように構成された本発明に係るゴミ箱において、ゴミ箱本体の内部がゴミ類で満杯になったときは、ゴミ箱本体の上方開口部に、圧縮機構部を装着する。このとき、紐材に取り付けた錘体の重みによって、圧縮部材は、保持枠部側へ牽引されて上昇し、保持枠部の開口部を下方側から塞いだ状態となる。
【００１５】
そして、圧縮部材を足等で踏み付けることで、当該圧縮部材は、紐材に取り付けた錘体の重みに抗して、すなわち、錘体を引っ張り上げながらゴミ箱本体の内底部に向けて押し下げられ、これによってゴミ箱本体の内部に収容しているゴミ類を圧縮するのである。
【００１６】
また、圧縮部材から足を外したときは、当該圧縮部材は、紐材に取り付けた錘体の重みによって保持枠部側へ牽引されて上昇し、保持枠部の開口部を下方側から塞いだ状態となる。
【００１７】
これらの一連の動作により、ゴミ箱本体の内部において、圧縮されたゴミ類の上方に、さらにゴミ類を収容できる空間が形成される。
【００１８】
また、収集袋の開口縁部を開放して下方へ折り返すようにし、ゴミ箱本体の周面に設けた掛止突起に収集袋の開口縁部を引っ掛けて固定する。
【００１９】
さらに、略楕円状に形成されているゴミ箱本体、圧縮機構部のそれぞれは、足による圧縮部材の踏み付けを安定且つ容易なものとし、ゴミ箱本体の内部に収容しているゴミ類の圧縮効率を向上させている。
【発明の効果】
【００２０】
本発明によれば、手や足を汚すことなく、ゴミ箱本体の内部に収容しているゴミ類を容易且つ効率的に圧縮することができ、これによって、ゴミ箱本体内のゴミ類の収容空間を無駄なく利用することができる。
【００２１】
これは本発明が、ゴミ箱本体の上方開口部に、収容しているゴミ類を圧縮する圧縮機構部を備えたからであり、これにより、ゴミ箱本体の内部に、多くのゴミ類を可能な限り隙間無く収容することができる。
【００２２】
また、圧縮機構部は、足等の踏み付け力を利用したものであるので、ゴミ箱本体の内部に収容しているゴミ類を、誰もが簡単に圧縮することができる。
【００２３】
さらに、圧縮機構部は、中央に開口部を有し、ゴミ箱本体の上方開口部に着脱可能に配置された保持枠部と、保持枠部の開口部を下方側から塞ぐよう、保持枠部の開口部の内径よりも若干大きく且つゴミ箱本体の内径よりも若干小さな外径を有する平蓋状の圧縮部材を備えているので、圧縮部材により保持枠部の開口部を塞ぐ一方、この圧縮部材によりゴミ箱本体の内部に収容しているゴミ類を、誰もが簡単に圧縮することができる。
【００２４】
また、圧縮機構部は、ゴミ箱本体内において、圧縮部材が下方・上方に移動可能であるので、圧縮部材の下方移動によりゴミ類を圧縮する動作と、圧縮部材の上方移動により圧縮されたゴミ類の上方に空間を形成する動作、また、保持枠部の開口部を塞ぐ動作を、円滑に行うことができる。
【００２５】
加えて、圧縮機構部は、保持枠部の周縁に複数のガイド筒部を付設し、この複数のガイド筒部にそれぞれ紐材を挿通した状態において、紐材の一端を圧縮部材に固定し、紐材の他端に錘体を取り付けてあることから、圧縮部材は、紐材に取り付けた錘体の重みによって保持枠部側へ牽引されて上昇し、保持枠部の開口部を下方側から塞いだ状態となる。
【００２６】
そして、圧縮部材を足等で踏み付けることで、当該圧縮部材は、紐材に取り付けた錘体の重みに抗して、すなわち、錘体を引っ張り上げながらゴミ箱本体の内底部に向けて押し下げられ、これによってゴミ箱本体の内部に収容しているゴミ類を圧縮できる。
【００２７】
また、圧縮部材から足を外したときは、当該圧縮部材は、紐材に取り付けた錘体の重みによって保持枠部側へ牽引されて上昇し、保持枠部の開口部を下方側から塞いだ状態となる。
【００２８】
これらの一連の動作により、ゴミ箱本体の内部において、圧縮されたゴミ類の上側に、さらにゴミ類を収容できる空間を形成できる。そして、圧縮機構部をゴミ箱本体から取り外した後に、ゴミ箱本体の内部に、さらにゴミ類を投入することができる。
【００２９】
この他、ゴミ箱本体の上方開口部よりの周面に、掛止突起を設けているので、収集袋の開口縁部を開放して下方へ折り返すようにし、ゴミ箱本体の周面に設けた掛止突起に収集袋の開口縁部を引っ掛けることで、ゴミ箱本体に収集袋を簡単に固定できる。一方、収集袋の取り外しも極めて簡単である。
【００３０】
また、ゴミ箱本体、圧縮機構部のそれぞれは、足裏の形状に対応した略楕円状に形成されているので、圧縮機構部を備えているゴミ箱本体において、足による圧縮部材の踏み付けを安定且つ容易なものとし、ゴミ箱本体の内部に収容しているゴミ類を効率良く圧縮できる。
【００３１】
さらに、ゴミ箱本体と圧縮機構部により、堅牢性を備えたゴミ箱を提供することができる。
【発明を実施するための最良の形態】
【００３２】
以下に、本発明を実施するための最良の形態を、図面を参照して説明する。
【００３３】
本発明に係るゴミ箱を構成するゴミ箱本体１は、例えば、家庭用または業務用等のポリ容器から成り、ゴミ箱本体１の上方開口部に、収容しているゴミ類Ｑを圧縮する圧縮機構部Ｐを設けている。
【００３４】
このゴミ箱本体１は、図１乃至図３に示すように、例えば、足等の踏み付け力を利用して内部のゴミ類Ｑを圧縮する圧縮機構部Ｐを、ゴミ箱本体１の上方開口部に着脱可能に配置している。また、ゴミ箱本体１は、圧縮機構部Ｐと共に、円形に形成されている。
【００３５】
尚、図４・図５に示すように、ゴミ箱本体１と圧縮機構部Ｐを、足裏の形状に対応した略楕円状に形成しても良い。
【００３６】
ゴミ箱本体１の内部がゴミ類Ｑによって満杯状態となったときは、図１に示すように、保持枠部２を介して圧縮機構部Ｐをゴミ箱本体１の上方開口部に装着し、図８に示すように、圧縮部材３によりゴミ箱本体１の内部のゴミ類Ｑを圧縮する。
【００３７】
そのため、圧縮機構部Ｐは、図７・図８に示すように、ゴミ箱本体１内において、圧縮部材３が下方・上方に移動可能になっている。
【００３８】
具体的には、圧縮機構部Ｐは、図１・図２に示すように、中央に開口部５を有し、ゴミ箱本体１の上方開口部に着脱可能に配置された保持枠部２と、保持枠部２の開口部５を下方側から塞ぐよう、保持枠部２の開口部５の内径よりも若干大きく且つゴミ箱本体１の内径よりも若干小さな外径を有する平蓋状の圧縮部材３を備えている。
【００３９】
保持枠部２の周縁上面における４箇所には、図２に示すように、アーチ状の保持孔部６が設置され、この保持孔部６に対応して保持枠部２の周縁側面における４箇所に、ガイド筒部７を設置している。そして、これらの保持孔部６・ガイド筒部７のそれぞれに、４本の紐材４が個別に挿通されている。
【００４０】
また、圧縮部材３は、足等による踏み付け押圧力に耐え得る軽量な剛性部材によって形成されている。
【００４１】
さらに、圧縮部材３の中央には、半円弧状の窪みを合致させた状態で取っ手８が形成され、圧縮部材３の周縁部の４箇所には、アーチ状の取付孔部９を設置している。このアーチ状の取付孔部９は、前記保持枠部２の保持孔部６・ガイド筒部７のそれぞれに対応したものである。
【００４２】
紐材４は、図１・図２・図６に示すように、ゴミ箱本体１の深さに対応する長さを備えており、一端が圧縮部材３の取付孔部９を挿通し、その端部に球状の係止部材１２を固定し、紐材４の一端部が取付孔部９から抜けない状態としている。また、紐材４の他端は、保持枠部２の保持孔部６、ガイド筒部７のそれぞれに挿通しており、その端部に、例えば、球状の鉛塊等の錘体１０を固定している。
【００４３】
これらの４個の錘体１０の重さは、圧縮部材３の重さよりも大きくしてある。そのため、錘体１０を固定した４本の紐材４を介して圧縮部材３が牽引され、保持枠部２の開口部５を下方側から塞いだ状態となる。
【００４４】
尚、この紐材４の替わりに、伸縮自在な弾性体として、例えば、ゴム紐やコイルバネ材等を使用しても良い。このときは、弾性体の一端部を、ゴミ箱本体１の周面に形成されているフック部に掛止させて固定し、他端部を圧縮部材３に固定するものである。また、保持枠部２の保持孔部６、ガイド筒部７、圧縮部材３の取付孔部９のそれぞれを４箇所に設置する替わりに、これらを２箇所もしくは３箇所、また、５箇所以上に設置し、それぞれに紐材４を挿通させても良い。
【００４５】
また、図１・図２に示すように、ゴミ箱本体１の上方開口部よりの周面には、複数の針状の掛止突起１１が、等間隔に且つ尖端が下向きとなるように付設されている。そして、図２に示すように、ゴミ箱本体１の内部に収集袋Ｒが底部を下にして挿入され、当該収集袋Ｒの開口縁部を開放して下方へ折り返すようにして、収集袋Ｒの開口縁部をゴミ箱本体１の周面に設けた掛止突起１１に引っ掛けて固定する。
【００４６】
尚、この掛止突起１１は、針状に限定されず、例えば、下向き舌片状の薄板状に形成しても良い。
【００４７】
次に、以上のように構成された本発明の最良の形態について、使用・動作の一例を説明する。
【００４８】
先ず、ゴミ箱本体１の内部に収集袋Ｒを底部を下にして挿入し、当該収集袋Ｒの開口縁部を開放して下方へ折り返すようにして、収集袋Ｒの開口縁部をゴミ箱本体１の周面に設けた掛止突起１１に引っ掛けて固定する。
【００４９】
ゴミ箱本体１に固定した収集袋Ｒの内部が、ゴミ類Ｑによって満杯状態となった際には、図２・図４に示すように、ゴミ箱本体１の上方開口部へ、圧縮機構部Ｐを装着する。
【００５０】
このとき、圧縮部材３は、図７に示すように、錘体１０を固定した紐材４によって牽引され、保持枠部２の開口部５を下方側から塞いだ状態となる。
【００５１】
そして、図８に示すように、圧縮部材３の上面を足等で踏み付けることで、当該圧縮部材３は、紐材４の一端に固定した錘体１０の重みに抗して、すなわち、錘体１０を引っ張り上げながらゴミ箱本体１の内底部に向けて押し下げられ、これによってゴミ箱本体１の内部のゴミ類Ｑを圧縮する。
【００５２】
また、圧縮部材３から足を外したときは、当該圧縮部材３は、紐材４の一端に固定した錘体１０の重みによって保持枠部２側へ牽引されて上昇し、当該保持枠部２の開口部５を下方側から塞いだ状態となる。
【００５３】
このような一連の動作により、ゴミ箱本体１の内部において、圧縮されたゴミ類Ｑの上方に、さらに他のゴミ類Ｑを収容できる空間が形成される。そして、圧縮機構部Ｐをゴミ箱本体１から取り外した後に、ゴミ箱本体１の内部に、さらにゴミ類Ｑを投入することができる。
【００５４】
尚、圧縮部材３に所定の幅を備えた隙間や・所定の開閉部、投入口等を設けたときには、ゴミ箱本体１に圧縮機構部Ｐを装着した状態のまま、ゴミ箱本体１内へのゴミ類Ｑの投入が可能である。
【産業上の利用可能性】
【００５５】
本発明は、手や足を汚すことなく、ゴミ箱本体１の内部に収容しているゴミ類Ｑを容易且つ効率的に圧縮することができ、これによってゴミ箱本体１内のゴミ類Ｑの収容空間を無駄なく利用できることから、例えば、家庭用または業務用等のゴミ箱として広く利用されるものである。
【図面の簡単な説明】
【００５６】
【図１】ゴミ箱本体に圧縮機構部を装着する状態を示す分解斜視図である。
【図２】ゴミ箱本体に圧縮機構部を装着した状態を示す一部拡大の斜視図である。
【図３】ゴミ箱本体に圧縮機構部を装着した状態を示す平面図である。
【図４】略楕円形状に形成したゴミ箱本体に、同じく略楕円形状に形成した圧縮機構部を装着した状態を示す斜視図である。
【図５】略楕円形状に形成したゴミ箱本体に、同じく略楕円形状に形成した圧縮機構部を装着した状態を示す平面図である。
【図６】ゴミ箱本体に圧縮機構部を装着した状態を示す側面図である。
【図７】ゴミ類によって満杯状態となっているゴミ箱本体に、圧縮機構部を装着した状態を示す断面図である。
【図８】圧縮機構部の圧縮部材に足を乗せてゴミ箱本体内のゴミ類を圧縮した状態を示す断面図である。
【符号の説明】
【００５７】
Ｐ…圧縮機構部                Ｑ…ゴミ類
Ｒ…収集袋
１…ゴミ箱本体                ２…保持枠部
３…圧縮部材                  ４…紐材
５…開口部                    ６…保持孔部
７…ガイド筒部                ８…取っ手
９…取付孔部                １０…錘体
１１…掛止突起                １２…係止部材
【図１】
2006264892.tif 000003
【図２】
2006264892.tif 000004
【図３】
2006264892.tif 000005
【図４】
2006264892.tif 000006
【図５】
2006264892.tif 000007
【図６】
2006264892.tif 000008
【図７】
2006264892.tif 000009
【図８】
2006264892.tif 000010